(57)【特許請求の範囲】
【請求項１】
周壁部と、該周壁部の内壁面の下部にほぼ水平に設けられた周縁部、及び該周縁部に連接された底部からなる底板と、前記周壁部と底板とによって形成された土壌収容部と、該土壌収容部の下部に設けられ前記底板の下方に下部空間を形成する脚部と、前記底板の中央部に設けられ前記土壌収容部と下部空間を連通する排水孔とを備え、
前記底板の周縁部を、植木鉢を積み重ねたときに上段の植木鉢の脚部を支持しうる幅で、かつ上段の植木鉢の周壁部外壁面と下段の植木鉢の周壁部内壁面との間にすき間を形成できる高さ位置に設けたことを特徴とする植木鉢。
【請求項２】
内壁面の下部にほぼ水平に突設された支持部を有する周壁部、該周壁部又は支持部の下部に設けられた脚部を備えた植木鉢の本体と、前記支持部上に載置される周縁部及び排水孔を有する中央部からなり前記植木鉢の本体内にセットされる底板部材とを備え、
前記植木鉢の本体に設けた支持部又は該支持部上に載置される前記底板部材の周縁部を、植木鉢を積み重ねたときに上段の植木鉢の脚部を支持しうる幅で、かつ上段の植木鉢の周壁部外周壁面と下段の植木鉢の周壁部内壁面との間にすき間を形成できる高さ位置に設けたことを特徴とする植木鉢。
【請求項３】
前記脚部を、周壁部の延長線上に設けたことを特徴とする請求項１又は２記載の植木鉢。
【請求項４】
前記脚部の外壁面を、周壁部の外壁面の下端部より内側に設けたことを特徴とする請求項１又は２記載の植木鉢。
【請求項５】
前記脚部に、下部空間を外気に連通する通気孔を設けたことを特徴とする請求項１〜４のいずれかに記載の植木鉢。
【請求項６】
前記底板又は底板部材の中央部を、周縁部の内周縁から斜め内側上方又は斜め内側下方に延設された水切り部と、この水切り部の内周縁に連接された底部とからなり、全体としてほぼ凸状又は凹状に形成したことを特徴とする請求項１〜５のいずれかに記載の植木鉢。
【請求項７】
周壁部と、該周壁部の内壁面の下部にほぼ水平に設けられた周縁部を有する底板と、前記周壁部と底板とによって形成された植木鉢収容部と、該植木鉢収容部の下部に設けられ前記底板の下方に延びる脚部とを備え、
前記底板の周縁部を、鉢カバーを積み重ねたときに上段の鉢カバーの脚部を支持しうる幅で、かつ上段の鉢カバーの周壁部外壁面と下段の鉢カバーの周壁部内壁面との間にすき間を形成できる高さ位置に設けたことを特徴とする鉢カバー。
【請求項８】
周壁部と、該周壁部の内壁面下部にほぼ水平に突設された支持部とを備え、
前記支持部を、鉢カバーを積み重ねたときに上段の鉢カバーの下端を支持しうる幅で、かつ上段の鉢カバーの周壁部外壁面と下段の鉢カバーの周壁部内壁面との間にすき間を形成できる高さ位置に設けたことを特徴とする鉢カバー。
【発明の詳細な説明】
【０００１】
【発明の属する技術分野】
本発明は、植木鉢及び鉢カバーに係り、さらに詳しくは、保管あるいは輸送等のために積重ねる場合に特に有効な植木鉢及び鉢カバーに関するものである。
【０００２】
【従来の技術】
従来から、植木鉢あるいは鉢カバーを積み重ねるために種々手段が講じられており、その一例として、実公昭５７−４２２８８号公報に記載された考案がある。この考案に係る植木鉢は、鉢の底面の周縁に沿ってほぼ等間隔に鉢の本体底面と一体をなす複数個の陥没部を形成すると共に、鉢の内側下方に底面に跨って陥没部間のほぼ中間部に複数の縦方向のリブを突設し、かつ陥没部の内壁面に鉢の内部と連通する複数条の縦長の通気排水口を貫通し、さらに陥没部を含む鉢の底面及び鉢の側面内面にしぼ加工を施したものである（従来技術１）。
【０００３】
また、鉢の周囲壁外面と上部フランジとの連接部に高さ方向に短冊状の複数の縦方向のリブを設けたもの（従来技術２）、さらには、断面逆Ｕ字状の上部フランジの内部に複数の縦方向のリブを架設したもの（従来技術３）などがある。
【０００４】
【発明が解決しようとする課題】
従来技術１及び２においては、高く積み重ねた状態で保管しあるいは運搬しているときなどに、なんらかの理由で転倒したり落下したりすると、その衝撃により下段の植木鉢に設けた縦方向のリブが、上段の植木鉢の周壁に食い込んで破損することがあり、また、破損に至らないまでも下段の植木鉢の縦方向のリブが上段の植木鉢の周壁に強く衝突することにより、周壁外面を白濁させる（白化現象）という問題が生じる。さらに、リブを設けた周壁部の反対側の外壁面には、成型時の冷却時間差により凹み（ひけ）を生じるという問題がある。
【０００５】
一方、従来技術３においては、植木鉢を積み重ねたときに、上段の植木鉢のリブにより下段の植木鉢の上部フランジを損傷することがあり、また植木鉢の上縁に逆Ｕ字状のフランジを必ず設けなければならないので、デザイン上の制約を受けるだけでなく、フランジの高さを高くしないと積み重ねに必要な高さ寸法を確保できないため、デザイン的なアンバランスが避けられない。また、従来技術１，２の場合と同様にひけを生じるという問題がある。
【０００６】
本発明は、上記の課題を解決するためになされたもので、積み重ねた植木鉢又は鉢カバーが転倒あるいは落下しても破損や白化現象が発生するおそれがなく、その上デザイン上の制約を受けることのない植木鉢及び鉢カバーを提供することを目的としたものである。
【０００７】
【課題を解決するための手段】
（１）本発明に係る植木鉢は、周壁部と、該周壁部の内壁面の下部にほぼ水平に設けられた周縁部、及び該周縁部に連接された底部からなる底板と、前記周壁部と底板とによって形成された土壌収容部と、該土壌収容部の下部に設けられ前記底板の下方に下部空間を形成する脚部と、前記底板の中央部に設けられ前記土壌収容部と下部空間を連通する排水孔とを備え、前記底板の周縁部を、植木鉢を積み重ねたときに上段の植木鉢の脚部を支持しうる幅で、かつ上段の植木鉢の周壁部外壁面と下段の植木鉢の周壁部内壁面との間にすき間を形成できる高さ位置に設けたものである。
【０００８】
（２）また、本発明に係る植木鉢は、内壁面の下部にほぼ水平に突設された支持部を有する周壁部、該周壁部又は支持部の下部に設けられた脚部を備えた植木鉢の本体と、前記支持部上に載置される周縁部及び排水孔を有する中央部からなり前記植木鉢の本体内にセットされる底板部材とを備え、前記植木鉢の本体に設けた支持部又は該支持部上に載置される前記底板部材の周縁部を、植木鉢を積み重ねたときに上段の植木鉢の脚部を支持しうる幅で、かつ上段の植木鉢の周壁部外壁面と下段の植木鉢の周壁部内壁面との間にすき間を形成できる高さ位置に設けたものである。
【０００９】
（３）上記（１）又は（２）の脚部を、周壁部の延長線上に設けた。
（４）上記（１）又は（２）の脚部の外壁面を、周壁部の外壁面の下端部より内側に設けた。
（５）上記（１）〜（４）のいずれかの脚部に、下部空間を外気に連通する通気孔を設けた。
【００１０】
（６）上記（１）〜（５）のいずれかの底板又は底板部材の中央部を、周縁部の内周縁から斜め内側上方又は斜め内側下方に延設された水切り部と、この水切り部の内周縁に連接された底部とからなり、全体としてほぼ凸状又は凹状に形成した。
【００１１】
（７）また、本発明に係る鉢カバーは、周壁部と、該周壁部の内壁面の下部にほぼ水平に設けられた周縁部を有する底板と、前記周壁部と底板とによって形成された植木鉢収容部と、該植木鉢収容部の下部に設けられ前記底板の下方に延びる脚部とを備え、前記底板の周縁部を、鉢カバーを積み重ねたときに上段の鉢カバーの脚部を支持しうる幅で、かつ上段の鉢カバーの周壁部外壁面と下段の鉢カバーの周壁部内壁面との間にすき間を形成できる高さ位置に設けたものである。
【００１２】
（８）また、本発明に係る鉢カバーは、周壁部と、該周壁部の内壁面下部にほぼ水平に突設された支持部とを備え、前記支持部を、鉢カバーを積み重ねたときに上段の鉢カバーの下端を支持しうる幅で、かつ上段の鉢カバーの周壁部外壁面と下段の鉢カバーの周壁部内壁面との間にすき間を形成できる高さ位置に設けたものである。
【００１３】
【発明の実施の形態】
［実施の形態１］
図１は本発明の実施の形態１に係る植木鉢の縦断面図、図２は図１の平面図、図３は図１の底面図である。
図において、２は植木鉢１の周壁部で、上方になるにしたがって徐々に拡径されている。３は周壁部２の上端部において外側にほぼ逆Ｕ字状に折曲げて形成された上部フランジであるが、本発明に必須のものではない。
【００１４】
１０は周壁部２の下端部にこれと一体に設けられた底板で、周壁部２に連接されたほぼ水平の周縁部１１と、この周縁部１１の内周縁から中心部に向って斜め下方に延設された水切り部１２と、水切り部１２の内周縁に連接された底部１３とからなり、ほぼ凹状に形成されている。上記の周縁部１１は、植木鉢１を積み重ねたときに、上段の植木鉢１の脚部を支持しうる幅に形成されている。なお、底板１０の底部１３をほぼ水平に形成した場合を示したが、上向き又は下向きの円弧状に形成してもよい。そして、水切り部１２には複数の排水孔１４が放射状に貫設されており、また、底部１３には複数の排水孔１５が放射状に設けられている。４は周壁部２と底板１０とによって形成された土壌収容部である。この土壌収容部４は培養土、土あるいは砂のような植物を保持するものを収容する空間である。底板１０の周縁部１１は、植木鉢１の積み重ね構造を考えると、脚部２０の下端部より高い位置に設ける必要があるため、土壌の収容量が少なくなるおそれがある。そこで、本実施の形態では、底板１０を全体として凹状に形成し、土壌収容部４の容積を大きくしている。
【００１５】
２０は周壁部２の下端部と周縁部１１の下面に跨がり、又は周縁部１１の下面において、下方に突設された周壁部２の外径より若干小径の脚部で、その下端部は底板１０の下端部より下方に位置しており、脚部２０と底板１０との間には下部空間２１が形成され、排水孔１４，１５により土壌収容部４と連通している。なお、この脚部２０は上部になるにしたがって拡径してもよく、あるいは上部と下部の外径を等しく形成してもよい。
【００１６】
２２は下部空間２１内の排水孔１４，１５に干渉しない位置において、底板１０の外壁面と脚部２０の内壁面との間に設けられた複数の補強リブである。
なお、脚部２０には、図４に示すように、下端部から高さ方向のほぼ中央部あるいは底板１０の周縁部１１に達する複数の通気孔２３を設けてもよい（以下の実施の形態においても同様である）。
【００１７】
図５は上述の植木鉢を積み重ねた状態を示す縦断面図である。
植木鉢１を積み重ねるには、下段の植木鉢１の土壌収容部４内に上段の植木鉢１ａを順次嵌入すればよい。これにより、上段の植木鉢１ａの脚部２０ａの下端部が下段の植木鉢１の底板１０の周縁部１１上に載置されてその位置に保持される。このとき、下段の植木鉢１の周壁部２の内壁面と、上段の植木鉢１ａの周壁部２ａの外壁面との間には僅かなすき間Ｃ1 が形成され、また、下段の植木鉢１の周壁部２の内壁面と、上段の植木鉢１ａの脚部２０ａの外壁面との間には、上記のすき間Ｃ1 より若干大きいすき間Ｃ2 が形成される。このため、周壁部２と底板１０の連接部を曲面又は傾斜面とすることができ、上段の植木鉢１ａを下段の植木鉢１の中心に位置させることができる。
【００１８】
上述のように、下段の植木鉢１の土壌収容部４に上段の植木鉢１ａを嵌入して積み重ねる場合、上段の植木鉢１ａの脚部２０ａの下端部が、相互の周壁部２，２ａ間にすき間Ｃ1 を残して下段の植木鉢１の底部１０の周縁部１１に当接することが必要であり、このためには、当接するまでの間に、上段の植木鉢１ａの周壁部２ａの外壁面が下段の植木鉢１の周壁部２の内壁面に干渉されないようにしなければならない。
【００１９】
いま、図６に示すように、植木鉢１の周壁部２の脚部２０の下端部外側に立設した垂線Ｐに対する傾斜角度をθ、周壁部２の肉厚をｄ、周壁部２の外壁面の延在線が植木鉢１の載置面に交わる点と垂線Ｐとのずれ幅をｅ、周壁部２の下端部の外径と脚部２０の上端部の外径との差の２分の１（片側の段差部）をｆとし、植木鉢１を積み重ねたときの下段の植木鉢１の周壁部２の内壁面と上段の植木鉢１ａの周壁部２ａの外壁面との間のすき間をＣ1 とすると、脚部２０の高さｈ、すなわち、底板１０の周縁部１１の高さ位置は、傾斜角度θがきわめて小さいのでこれを無視すると、周壁部２の外壁面から周縁部１１の上面と垂線Ｐとの交点までの距離Ｗが、ｄ＋Ｃ2 となる垂線Ｐ上の点より上方の位置である（ｈ≧（ｄ＋Ｃ1）cosθ／tanθ）。
【００２０】
実施例では、周壁部２の傾斜角θを３°、肉厚ｄを１．７mm、すき間Ｃを０．６６mmとしたところ、脚部２０の高さｈは約４５mmとなった。なお、このときの脚部２０の垂線Ｐに対する傾斜角θ1 は２°、周壁部２の外径と脚部２０の外径の差の１／２、すなわち片側の段差幅ｆは２．３mmであり、周壁部２の延長線と脚部２０の先端部外壁面と間には、１．５２mmのずれ幅ｅが得られた。なお、片側の段差幅ｆを大きくすることにより、床板１０の周縁部１１を一体成型する場合に、周壁部外壁に生じるリング状のひけを目立たなくすることができる。
さらに、発明者らは種々実験を重ねた結果、周壁部２の傾斜角度θは３〜２０°、好ましくは７〜１２°、下段と上段の植木鉢１，１ａの周壁部２，２ａ間のすき間Ｃ1 は０．３〜１．５mm、好ましくは０．５〜１．０mmであり、脚部２０の傾斜角度θ1 は周壁部２の傾斜角度θと等しいか又はこれより小さい方が望ましいことが確認された（以下の実施の形態においても同様である）。
【００２１】
以上の説明から明らかなように、本実施の形態においては、上段の植木鉢１ａを下段の植木鉢１に干渉されることなく嵌入して積み重ねることができ、上段の植木鉢１ａは下段の植木鉢１の底板１０の周縁部１１により所定の位置に確実に保持される。また、植木鉢１，１ａ，…に積み重ね用の縦方向のリブが無いので、多数の植木鉢１を積み重ねても、リブが食い込んだり、転倒あるいは落下しても白化現象を生じたり破損したりすることがない。
また、積み重ね用の縦方向のリブを設けるための、上端部に逆Ｕ字状のフランジを設ける必要がないので意匠的な制約を受けることがなく、自由で斬新なデザインを採用することができる。
【００２２】
さらに、周壁部２と底板１０を一体に構成したので、底板１０の周縁部１１が横方向の補強リブとしての役割も備えており、土圧によって植木鉢１の横断面が変形するのを防止することができる。また、底板１０の斜め下方に延設した水切り部１２に複数の排水孔１４を設けたので、水が底部に溜ることなく効果的に排水することができる。
また、脚部２０の上端部を周壁部２の内側において底板１０の下面に一体に連接したので、脚部２０の形状や位置を自由にデザインすることができる。
【００２３】
［実施の形態２］
図７は本発明の実施の形態２に係る植木鉢の縦断面図、図８は図７の平面図である。なお、実施の形態１と同一又は相当部分にはこれと同じ符号が付してある。
本実施の形態において、実施の形態１と異なる主な点は、脚部２０を周壁部２の延長線上に形成した点、及び底板１０を上方に突出した凸状に形成した点、及び補強リブ２２を設けていない点にある。
【００２４】
すなわち、脚部２０を周壁部２と同じ角度で下方に延設して形成したものであるが、この場合、脚部２０の下端部外側に立設した垂線Ｐが、底板１０の周縁部１１の周壁部２への連接部において、周壁部２の内壁面との間にすき間Ｃ1 を有することが必要である。なお、周壁部２の肉厚ｄ及びすき間Ｃ1 の大きさによっては、脚部２０を上記すき間Ｃ1 を有する範囲で、周壁部２の傾斜角度より浅い角度で形成してもよい。
【００２５】
また、底板１０は、周縁部１１の内周縁から中心部に向って斜め上方に延設された水切り部１２と、この水切り部１２の内周縁に連接された底部（頂部）１３とにより、ほぼ凸状に形成したもので、水切り部１２には複数の排水孔１４が放射状に貫設されている。このように底板１０を凸状に形成すれば、根の拡散を促進することができる。なお、本実施の形態においては、周壁部２の上端部にはフランジが設けられていない。
【００２６】
本実施の形態における各部の寸法関係、積み重ね作用、効果等は実施の形態１の場合とほぼ同様なので、説明を省略する。なお、本実施の形態においては、底板１０をほぼ凸状に形成した場合を示したが、実施の形態１の場合と同様にほぼ凹状に形成してもよい。
【００２７】
［実施の形態３］
図９は本発明の実施の形態３の縦断面図、図１０は図９の平面図である。なお、実施の形態１，２と同一又は相当部分にはこれと同じ符号を付してある。
本実施の形態が実施の形態２と異なるのは、周縁部１１を含む底板１０を、ほぼ水平に形成して周縁部１１と底部（中央部）１３との間に複数の排水孔１４を放射状に設けた点にある。
【００２８】
本実施の形態における各部の寸法関係、積み重ね作用、効果等は実施の形態１，２とほぼ同様であるが、底板１０をほぼ水平に構成したことにより、半径方向の応力（外圧、内圧）に対する強度を高めることができる。なお、脚部２０を周壁部２の延長線上に設けた場合を示したが、実施の形態１の場合と同様に、周壁部２の下端部の内側、したがって周壁部２の下面と周縁部１１の下面に跨って、又は周縁部１１の下面に設けてもよい。
【００２９】
［実施の形態４］
図１１は本発明の実施の形態４の縦断面図、図１２は図１１の平面図である。
なお、実施の形態１〜３と同一又は相当部分には同じ符号を付してある。
本実施の形態は、上述の実施の形態１〜３と異なり、周壁部２と脚部２０とからなる植木鉢１の本体と、その下部に設けた底板とを別体に構成し、この底板（底板部材）３０を植木鉢内に着脱自在にセットしうるようにしたものである。
【００３０】
図においては、５は周壁部２と脚部２０との連接部の内壁面に、中心部に向って突設したほぼ水平の支持部で、植木鉢１を積み重ねたときに上段の植木鉢１の脚部２０を支持しうる幅に形成されており、支持部５に底板部材３０の肉厚を加えた高さ位置が、上段の植木鉢１の周壁部２の外壁面と、下段の植木鉢１の周壁部２の内壁面との間にすき間を形成できる高さ位置に設けられている。なお、この支持部５は周壁部２の内壁面の全周に設けてもよく、あるいはほぼ等間で複数の支持部５を設けてもよい。
【００３１】
３０は底板部材で、支持部５上に載置される周縁部３１と、周縁部３１の内周縁から中心部に向って斜め上方に延設された水切り部３２と、この水切り部３２の内周縁に連接された底部（頂部）３３とによりほぼ凸状に形成されており、水切り部３２には複数の排水孔３４が放射状に設けられている。
【００３２】
図１３は本実施の形態の他の例の縦断面図、図１４は図１３の平面図である。
本例は、ほぼ水平の支持部５を、図１１の例の場合と同様の幅、同様の高さ位置に設けると共に、底板部材３０を、周縁部３１と、周縁部３１の内周縁から中心部に向って斜め下方に延設された比較的短かい水切り部３２と、この水切り部３２の内周縁に連接された比較的大きい底部３３とによりほぼ凹状に形成したもので、水切り部３２には複数の排水孔３４が放射状に設けられており、底部３３には多数の排水孔３５が設けられている。
【００３３】
図１５は本実施の形態における植木鉢１の本体に設けた支持部５と、底板部材３０との関係の例を示すものである。
図１５（ａ）は、支持部５の上面における周壁部２の内径と、底板部材３０の周縁部３１の外形とをほぼ等しく形成し、上段の植木鉢１ａの脚部２０ａを周縁部３１上に載置するようにしたものである。
【００３４】
また、図１５（ｂ）は、支持部５の幅を若干広く形成すると共に、底板部材３０の周縁部３１の外径を、支持部５の上面における周壁部２の内径より若干小さく形成し、底板部材３０の周縁部３１の外側に上段の植木鉢１ａの脚部２０ａを載置するようにしたものであり、さらに、図１５（ｃ）は底板部材３０の周縁部３１を下方に開口する断面ほぼコ字状に形成し、その上に上段の植木鉢１ａの脚部２０ａを載置するようにしたものである。
【００３５】
本実施の形態における各部の寸法関係は実施の形態１〜３の場合とほぼ同様である。植木鉢１を積み重ねるにあたっては、底板部材３０を纏めて別に保管しておき、上段の植木鉢１を下段の植木鉢１の土壌収容部４内に嵌入し、その脚部２０の下端部を支持部５上に載置して順次積み重ねてもよく、あるいは、個々の植木鉢１に底板部材３０をセットした状態で順次積み重ねてもよい。
【００３６】
本実施の形態においても、実施の形態１〜３とほぼ同様の効果が得られるが、さらに、植えられる植物や使用する土壌の種類などに応じて、任意形状、任意の排水孔３４，３５を有する底板部材３０を選択できるので便利である。また、植木鉢１の本体と底板部材３０とを各別に成型できるので、両者に異なる材料を使用することができる。なお、本実施の形態においても、周壁部２の下面と支持部５の下面に跨って、又は支持部５の下面に脚部２０を設けてもよい。
【００３７】
［実施の形態５］
本実施の形態は植木鉢を挿入する鉢カバーに関するもので、上述の各実施の形態に係る植木鉢と類似した構造のものである。鉢カバーは、一般に、周壁部と一体の底板を有するものと、周壁部のみで底板を有しないものとの２種類あり、底板を有するものは上述の実施の形態１〜３の植木鉢１とほぼ同様の構造で、土壌収容部４を植木鉢収部としたものであるが、底板１０には排水孔１４，１５が設けられていない。
また、底板を有しないものは、上述の実施の形態４に係る植木鉢１の本体とほぼ同様の構造で、底板部材３０を除いたものであり、いずれの場合においても底板１０の周縁部１１又は支持部５は、挿入される植木鉢１の脚部を支持し、また積み重ねられた鉢カバーの下端部を支持しうる幅に形成されている。
【００３８】
上記の説明では、平面円形の植木鉢及び鉢カバーに本発明を実施した場合を示したが、これに限定するものではなく、例えば、四角形、多角形、楕円形等各種平面形状の植木鉢及び鉢カバーにも本発明を実施することができる。
また、底板又は底板部材の形状及びこれに設けた排水孔の形状、数等も上記実施の形態に限定するものではなく、適宜設定することができる。
【００３９】
【発明の効果】
（１）請求項１に係る植木鉢は、植木鉢の積み重ねにあたっては、下段の植木鉢に干渉されることなく積み重ねることができ、上段の植木鉢は下段の植木鉢の底板の周縁部により所定の位置に確実に保持される。
また、植木鉢には従来のように積み重ね用の縦方向のリブが設けられていないので、多数の植木鉢を積み重ねても鉢どうしが食い込んだり、転倒しあるいは落下しても縦方向のリブの存在に起因する白化現象を生じたり破損したりすることがない。
【００４０】
（２）また、請求項２に係る植木鉢は、上記と同様の効果に併せて、植付ける植物や使用する土壌の種類に応じて任意の底板部材を選択することができる。
【００４１】
（３）上記の脚部を、周壁部の延長線上に設けたので、底板の周縁部又は支持部の突出部の幅を小さくすることができる。
（４）また、脚部の外壁面を、周壁部の外壁面の下端部より内側に設けたので、脚部の形状や位置を自由にデザインすることができ、周壁部の外壁面に生じるひけを目立たないようにすることができる。
（５）さらに、脚部に通気孔を設けたので、下部空間内を常に換気することができる。
【００４２】
（６）上記の底板又は底板部材のほぼ凸状又は凹状に形成したので、凸状に形成した場合は植込んだ植物の根の拡散を促進し、凹状に形成した場合は、土壌の収容量を多くすることができる。
【００４３】
（７）また、請求項７又は８に係る鉢カバーは、底板を有するものは、その周縁部が上段の鉢カバーを支持し、底板を有しないものは支持部が上段の鉢カバーを支持するので、下段の鉢カバーと上段の鉢カバーの周壁部の間にすき間を形成した状態で積み重ねて収納、運搬することができ、落下したり転倒したりしても破損したり白化現象が生じることがない。
【図面の簡単な説明】
【図１】本発明の実施の形態１に係る植木鉢の縦断面図である。
【図２】図１の平面図である。
【図３】図１の底面図である。
【図４】図１の他の例の要部の説明図である。
【図５】図１の植木鉢を積み重ねた状態を示す縦断面図である。
【図６】図５の要部の説明図である。
【図７】本発明の実施の形態２に係る植木鉢の縦断面図である。
【図８】図７の平面図である。
【図９】本発明の実施の形態３に係る植木鉢の縦断面図である。
【図１０】図９の平面図である。
【図１１】本発明の実施の形態４に係る植木鉢の縦断面図である。
【図１２】図１１の平面図である。
【図１３】実施の形態４の他の例の縦断面図である。
【図１４】図１３の平面図である。
【図１５】実施の形態４における支持部と底板部材との関係の例を示す説明図である。
【符号の説明】
１  植木鉢
２  周壁部
４  土壌収容部
５  支持部
１０  底板
１１  周縁部
１２  水切り部
１３  底部（頂部）
１４，１５  排水孔
２０  脚部
２１  下部空間
２３  通気孔
３０  底板部材
３１  周縁部
３２  水切り部
３３  底部（頂部）
３４，３５  排水孔
【図１】
0004808851.tif 000002
【図２】
0004808851.tif 000003
【図３】
0004808851.tif 000004
【図４】
0004808851.tif 000005
【図５】
0004808851.tif 000006
【図６】
0004808851.tif 000007
【図７】
0004808851.tif 000008
【図８】
0004808851.tif 000009
【図９】
0004808851.tif 000010
【図１０】
0004808851.tif 000011
【図１１】
0004808851.tif 000012
【図１２】
0004808851.tif 000013
【図１３】
0004808851.tif 000014
【図１４】
0004808851.tif 000015
【図１５】
0004808851.tif 000016